(57)【特許請求の範囲】
【請求項１】
隣接する２つの畝間に対応する間隔で平行に水平対置された左右の支持棒と、
各々の後端部分に押動用兼回動操作用の操作ハンドル部が設けられて、前記左右の支持棒と一体回動するように当該左右の支持棒に固定して立設された左右の側枠構造体と、
前記左右の支持棒の間に架け渡された長方形状の金属製平板の両端部分がほぼ断面円形に湾曲されて前記左右の支持棒を貫通させて回動自在に保持する保持部が設けられ、当該左右の支持棒と共に車台を構成する複数の底桟部材と、
前記複数の底桟部材のうちの少なくとも前記車台の進行方向前側の底桟部材の下面部に回転自在に取り付けられた車輪と、
前記左右の支持棒の端部に各々の一端部が固着され前記操作ハンドル部の操作に自在に連動して前記各支持棒を支点に当該支持棒と一体回動するように設けられるとともに各々の他端部が前記支持棒の回動にしたがって２つの停止点間を変位しうるような状態に連結された回動範囲規制構造体とを備え、
前記回動範囲規制構造体により、前記左右の支持棒を支点に前記左右の側枠構造体が互いに離間方向と近接方向とに回動されるときの回動範囲を規制し、採花時の前記側枠構造体の生花への接触の有無を選択しうるようになしたことを特徴とする採花運搬用台車。
【請求項２】
各々の一端部が前記左右の支持棒に一体回動可能に固定された前記回動範囲規制構造体は、左右２本のパイプよりなり、
前記左右のパイプの各々の他端部が偏平形状に圧潰されてなる左右の弾性部にそれぞれ、切り起しにより形成された帯状の係合片と、当該係合片を形成するための切り込みにより形成された係合孔とを備えてなり、前記左右の弾性部が互いに重ね合わされ且つ前記左右の係合片が互いに異なる前記弾性部の係合孔に係入され、前記両支持棒が回動したときの引っ張り力又は押圧力を受けて前記両弾性部が弾性変形して前記係合片が前記係合孔内を移動することにより前記両弾性部の重ね合わせ部が伸縮状態に変位する構成となっている請求項１に記載の採花運搬用台車。
【請求項３】
前記保持部は、金属製平板の両端部分を、前記左右の支持棒を貫通させた状態で回動自在に保持できる円筒状に湾曲して前記底桟部材に一体形成されたものである請求項１または請求項２に記載の採花運搬用台車。
【請求項４】
前記回動範囲規制構造体における前記係合孔の任意の位置に前記係合片が当接する配置で着脱自在に取り付けることにより、前記回動範囲規制構造体の回動範囲を任意に設定するバンド体を備えている請求項２に記載の採花運搬用台車。
【請求項５】
左右の各１本のパイプを湾曲して、前記支持棒、前記側枠構造体および前記回動範囲規制構造体を、一体形成してなる請求項２または請求項４に記載の採花運搬用台車。
【発明の詳細な説明】
【技術分野】
【０００１】
本発明は、花畑の畝に植えられている商品としての生花を切り取って収穫する作業に好適に使用できる採花運搬用台車に関するものである。
【背景技術】
【０００２】
従来、花畑に植えられている生花の収穫作業を効率的に行える花用台車が提案されている（例えば、特許文献１参照）。この花用台車は、花畑において隣接する二つの畝の間を通過できる間隔で平行に対置された左右の主骨体と、この左右の主骨体間に架設された複数本の横桟とにより車台が形成され、左右の主骨体における車台の走行方向の前後端側の下方箇所にそれぞれ左右の車輪が回動自在に取り付けられるとともに、左右の側枠の両端部が、左右の主骨体の前後端側の上方箇所に立設され、この左右の側枠の後部上方箇所にそれぞれ手押しハンドルが設けられた構成になっている。
【０００３】
上記花用台車は、花畑の花が植えられている畝と畝との間に持ち込み、横桟上から左右に立設した側枠上に花ネットをかけたのちに、畝に咲いている生花を切り取って、この切り取った生花を上方から左右の側枠の間の花ネット上に積み上げ、手押しハンドルを押して左右前後の車輪によって畝と畝の間を走行移動しながら、切り取った生花を上方から左右の側枠の間の花ネット上に順次積み上げることにより、生花を効率的に収穫できるものである。
【先行技術文献】
【特許文献】
【０００４】
【特許文献１】特開平９−１７５４００号公報
【発明の概要】
【発明が解決しようとする課題】
【０００５】
しかしながら、上述の花用台車は、花畑から収穫すべき生花が、例えばカスミソウ、スターチスまたはトルコギキョウなどのような背丈の高いものである場合に問題がある。すなわち、上述のような背丈の高い生花は、収穫時において花の上部が畝から畝間に倒れ寄りかかる状態となることが多い。そのため、花用台車を走行移動させるときには、生花の畝間に倒れ寄りかかっている部分が、走行移動する花用台車の左右の側枠の上部が当たることにより、傷がついたり、折れたりして、商品価値が無くなるものが生じる。また、一方の畝から切り取った生花を花用台車に積み込むときに、他方の畝から花用台車の上方に向けて傾斜または倒れ寄りかかっている未収穫の生花に当たってたこれを折ることがあり、やはり商品価値を無くしてしまうう。このような不具合を解消しようとすれば、花用台車を後方から押して移動させる作業者と、花用台車の前側で垂れている生花を走行移動してくる花用台車が当たらないように起こす作業者とで共同作業する必要があり、人的コストが高くつく。
【０００６】
本発明は、前記従来の課題に鑑みてなされたものであり、簡単で安価な構成としながらも、一人の作業者のみであっても生花に傷がついたり折れたりするのを確実に防止しながら生花を効率的に収穫することができる採花運搬用台車を提供することを目的とする。
【課題を解決するための手段】
【０００７】
上記目的を達成するために、請求項１に係る発明の採花運搬用台車は、隣接する２つの畝間に対応する間隔で平行に水平対置された左右の支持棒と、各々の後端部分に押動用兼回動操作用の操作ハンドル部が設けられて、前記左右の支持棒と一体回動するように当該左右の支持棒に固定して立設された左右の側枠構造体と、前記左右の支持棒の間に架け渡された長方形状の金属製平板の両端部分がほぼ断面円形に湾曲されて前記左右の支持棒を貫通させて回動自在に保持する保持部が設けられ、当該左右の支持棒と共に車台を構成する複数の底桟部材と、前記複数の底桟部材のうちの少なくとも前記車台の進行方向前側の底桟部材の下面部に回転自在に取り付けられた車輪と、前記左右の支持棒の端部に各々の一端部が固着され前記操作ハンドル部の操作に自在に連動して前記各支持棒を支点に当該支持棒と一体回動するように設けられるとともに各々の他端部が前記支持棒の回動にしたがって２つの停止点間を変位しうるような状態に連結された回動範囲規制構造体とを備え、前記回動範囲規制構造体により、前記左右の支持棒を支点に前記左右の側枠構造体が互いに離間方向と近接方向とに回動されるときの回動範囲を規制し、採花時の前記側枠構造体の生花への接触の有無を選択しうるようになしたことを特徴としている。
【０００８】
請求項２に係る発明の採花運搬用台車は、請求項１の採花運搬用台車において、各々の一端部が前記左右の支持棒に一体回動可能に固定された前記回動範囲規制構造体は、左右２本のパイプよりなり、前記左右のパイプの各々の他端部が偏平形状に圧潰されてなる左右の弾性部にそれぞれ、切り起しにより形成された帯状の係合片と、当該係合片を形成するための切り込みにより形成された係合孔とを備えてなり、前記左右の弾性部が互いに重ね合わされ且つ前記左右の係合片が互いに異なる前記弾性部の係合孔に係入され、前記両支持棒が回動したときの引っ張り力又は押圧力を受けて前記両弾性部が弾性変形して前記係合片が前記係合孔内を移動することにより前記両弾性部の重ね合わせ部が伸縮状態に変位する構成となっている。
【０００９】
請求項３に係る発明の採花運搬用台車は、請求項１または２の採花運搬用台車において前記保持部が、金属製平板の両端部分を、前記左右の支持棒を貫通させた状態で回動自在に保持できる円筒状に湾曲して前記底桟部材に一体形成されている。
【００１０】
請求項４に係る発明の採花運搬用台車は、請求項２の採花運搬用台車において、前記回動範囲規制構造体における前記係合孔の任意の位置に前記係合片が当接する配置で着脱自在に取り付けることにより、前記回動範囲規制構造体の回動範囲を任意に設定するバンド体を備えている。
【００１１】
請求項５に係る発明の採花運搬用台車は、請求項２または４の採花運搬用台車において、
左右の各１本のパイプを湾曲して、前記支持棒、前記側枠構造体および前記回動範囲規制構造体を、一体形成してなることを特徴としている。
【発明の効果】
【００１２】
請求項１に係る採花運搬用台車によれば、採花運搬用台車を進行移動させる場合には、左右の側枠構造体を閉じる方向に操作すると、左右の側枠構造体が回動範囲規制構造体により所定の角度で内方に閉じた状態に安定に保持される。この状態で採花運搬用台車を進行移動させることにより、畝に植えられている生花が背丈の高いものであって畝から畝間に向け傾斜している場合であっても、側枠構造体は、内方に閉じる方向に傾斜されているから、生花に接触することなく進行移動できるので、生花を傷つけたり、折ったりする不具合が生じることがない。畝の生花を切り取る収穫作業を行う際には、左右の側枠構造体を外方に開かせるように回動操作する。これにより、左右の側枠構造体が、回動範囲規制構造体により所定の角度で外方に開いた状態に安定に保持される。左右の側枠構造体は、外方に向け開く方向に回動されるときに、畝から畝間に向け傾斜している背丈の高い生花を持ち上げて畝上に直立する状態とする。これにより、車台の上方は、生花が外方に押し戻され、且つ左右の側枠構造体が大きく開かれているので、畝から切り取った生花を車台上に積み上げる作業を、障害物となるものが何ら存在しないことによって容易に行うことができる。また、従来のように切り取った生花を車台上に積み上げる際に車台の上方に傾斜している生花を傷つけたり、折ったりすることが生じるおそれがない。
【００１３】
請求項２に係る採花運搬用台車によれば、回動範囲規制構造体をパイプにより構成し、当該パイプを請求項２に規定のごとく加工、構成することにより、簡単な構成でありながら確実にその役割を果たす回動範囲規制構造体を実現することができる。
【００１４】
請求項３に係る採花運搬用台車によれば、底桟部材に一体形成した保持部により左右の支持棒を回動自在に保持して車台が構成できるので、支持棒をベアリングなどを用いて回転自在に保持する構成に比べて一層安価なものとなる。
【００１５】
請求項４に係る採花運搬用台車によれば、回動範囲規制構造体における係合孔の任意の位置にバンド体を着脱自在に取り付けられることにより、係合片を任意の位置でバンド体に当接させて、左右の側枠構造体の回動範囲を任意に設定することができるので、左右の側枠構造体の回動範囲を、畝の間隔の相違や植えている生花Ｆの高さの相違等に対応して任意に可変設定することができる。
【００１６】
請求項５に係る採花運搬用台車によれば、左右の支持棒、側枠構造体および回動範囲規制構造体をそれぞれ、１本のパイプを湾曲して一体形成するので、構成の簡素化に伴って一層のコストダウンを達成することができる。
【図面の簡単な説明】
【００１７】
【図１】本発明の第１実施形態に係る採花運搬用台車を示す斜視図である。
【図２】（ａ）は同上の採花運搬用台車における進行方向前側の底桟部材での縦断面図、（ｂ）は同底桟部材での側面図である。
【図３】同上の採花運搬用台車における進行方向後側の底桟部材での縦断面図である。
【図４】（ａ），（ｂ）は同上の採花運搬用台車における回動範囲規制構造体の走行移動時での平面図および正面図である。
【図５】（ａ），（ｂ）は同上の回動範囲規制構造体の停止状態で採花時での平面図および正面図である。
【図６】同上の採花運搬用台車の走行移動時の正面図である。
【図７】同上の採花運搬用台車の停止状態で採花時での正面図である。
【図８】同上の発明の変形例の部材を示す斜視図である。
【図９】本発明の第２実施形態に係る花運搬用台車の側面図である。
【図１０】（ａ），（ｂ）は同上の花運搬用台車における回動範囲規制構造体の走行移動時および停止状態で採花時でのそれぞれの正面図である。
【発明を実施するための形態】
【００１８】
以下、本発明の好ましい実施形態について図面を参照しながら詳述する。
【００１９】
図１は本発明の第１実施形態に係る採花運搬用台車を示す斜視図である。この採花運搬用台車は、平行に水平対置された左右の支持棒２，３の間に長方形状の金属製平板からなる２つの底桟部材４，５が架け渡されて車台１が形成されており、車台１の進行方向前側（図の手前側）の底桟部材４の下面部に、左右の車輪１０，１１が回転自在に取り付けられている。この実施形態において、支持棒２，３としてアルミニウム製パイプが用いられ、底桟部材４，５の形成素材の金属製平板としてアルミニウム平板が用いられ、これにより軽量化が図られている。アルミニウム製パイプからなる支持棒２，３は、両端開口部が栓体８を被せて閉塞され、花畑の隣接する２つの畝間に対応する間隔で平行に水平対置されている。
【００２０】
図２（ａ）は、採花運搬用台車における進行方向前側（図１の手前側）の底桟部材４での縦断面図を示し、底桟部材４は、左右の支持棒２，３に架け渡された長方形状のアルミ
ニウム製平板の両端部分が、支持棒２，３の外径よりも僅かに大きな内径を有する円筒状を形成するよう湾曲され、その円筒状を形作った状態で２枚重ねに重ね合わされた部分の前後左右の４箇所（図１参照）をボルト１２で互いに固定することにより、左右の支持棒２，３を貫通させて回動自在に保持する保持部９が一体形成されている。さらに、底桟部材４におけるボルト１２による固定箇所よりも内方側部分は、下方に向け屈曲されて車輪１０，１１の外側取付腕１３が形成されている。また、底桟部材４の下面中央部分には、アルミニウム製平板の両側を折り曲げることにより車輪１０，１１の左右の内側取付腕１５が形成された補助部材１４が底桟部材４の下面に重ね合わされた配置で左右前後の４本のボルト１２により固定されている。左右の車輪１０，１１は、外側取付腕１３と内側取付腕１５との間に配置されて、支軸１８により回転自在に支持されている。この実施形態では、左右の車輪１０，１１が下方に向けて外開き状態に僅かな角度（２〜３°程度）だけ傾斜した配置で支軸１８により外側取付腕１３と内側取付腕１５とに支持されている。
【００２１】
図２（ｂ）は上記底桟部材４の側面図を示し、底桟部材４の左右両側の保持部９は、支持棒２，３における保持部９の前後端の近接箇所をそれぞれ圧潰して支持棒２，３の外周面よりも若干外方に膨出形成された４つの位置決め突部１９により支持棒２，３に沿って前後方向へ移動するのが阻止されている。この位置決め突部１９は、支持棒２，３が回動する際に保持部９との間に大きな摩擦抵抗が生じない形状および位置に形成されている。なお、図１では、図が複雑化して理解し難くなるのを防止するための便宜上、位置決め突部１９の図示を省略している。底桟部材４は、既存の花用台車に複数本の設けられている帯状の横桟よりも十分に大きな幅の長方形状の平板用いて形成されており、これにより、保持部９は、底桟部材４の大きな幅に相当する十分な長さＬ（保持部９の幅に相当）を有したものになっている。この保持部９の長さＬは、車輪１０，１１の外径よりも僅かに大きく設定するのが好ましい。これによる効果については後述する。また、外側および内側の取付腕１３，１５には貫通孔２０が形成されており、この貫通孔２０によって車輪１０，１１に付着した土を落とすための作業を容易に行えるようになっている。また、図２（ｂ）に示すように、外側取腕１３および内側取腕１５の台車進行方向の後方位置には、車輪１０，１１に近接した位置に垂設した土落とし片１６が設けられており、作業時の進行移動時には、回転する車輪１０，１１に付着している土泥や塵埃が土落とし片１６によってはぎ取られるようになっている。
【００２２】
図３は、図１の採花運搬用台車における進行方向後側の底桟部材５での縦断面図を示す。この底桟部材５においても、図２で説明した前側の底桟部材４と同様に、支持棒２，３に架け渡された長方形状のアルミニウム製平板の両端部分が、支持棒２，３の外径よりも僅かに大きな内径を有する円筒状を形成するよう湾曲され、その円筒状を形作った状態で２枚重ねに重ね合わされた部分の前後左右の４箇所（図１参照）をボルト１２で互いに固定することにより、左右の支持棒２，３を貫通させて回動自在に保持する保持部２１が一体形成されている。この保持部２１においても、図示を省略しているが、底桟部材４の保持部９と同様に、支持棒２，３における保持部２１の前後端の近接箇所をそれぞれ圧潰して支持棒２，３の外周面よりも若干外方に膨出形成された４つの位置決め突部により支持棒２，３に沿って前後方向へ移動するのが阻止されている。
【００２３】
図１に戻って、左右の支持棒２，３にはそれぞれ、左右の側枠構造体２２，２３が一体回動するように固定して立設されている。この左右の側枠構造体２２，２３は、共に同一構造であって、アルミニウム製パイプの両側部をそれぞれ直角に屈曲した外枠体２４の両端が、支持棒２，３に固着して立設されている。この外枠体２４には、アルミニュウム製の帯状の平板からなる横桟２５が、外枠体２４の前後の枠部に架け渡した水平配置で両端部がボルト２８により固定されているとともに、横桟２５と同様のアルミニュウム製の帯状の平板からなる縦桟２９が、外枠体２４の水平配置の上部枠と支持棒２，３とに架け渡した垂直配置で両端部がボルト２８により固定されている。この左右の側枠構造体２２，
２３は、底桟部材４，５により回動自在に支持されている支持棒２，３に固定されていることにより、底桟部材４，５と一体に車台１の左右方向に傾斜する状態に回動可能に設けられている。左右の外枠体２４の各々の後端部分には、上端部分を後方に湾曲形状に膨出する操作ハンドル３０が一体形成されており、この操作ハンドル３０は、作業者による採花運搬用台車の押動および左右の側枠構造体２２，２３の回動の両操作に兼用されるものである。
【００２４】
左右の支持棒２，３における各々の車台１の進行方向の後端部間には、作業者が操作ハンドル３０を把持して左右の側枠構造体２２，２３を車台１に対し外方に開かせる方向または車台１の内方に向け傾斜させて互いに近接させる方向に向け回動操作したときに、その回動範囲を規制する回動範囲規制構造体３１が設けられている。図１では、図示の便宜上、回動範囲規制構造体３１を模式的に示してあり、回動範囲規制構造体３１について図４および図５を参照しながら詳述する。
【００２５】
図４（ａ），（ｂ）はそれぞれ、左右の側枠構造体２２，２３を互いに内方に傾斜させたときの回動範囲規制構造体３１の概略構成を示す平面図および正面図であり、図５（ａ），（ｂ）はそれぞれ、左右の側枠構造体２２，２３を車台１の外方に向け開かせる状態に傾斜させたときの回動範囲規制構造体３１の概略構成を示す平面図および正面図である。回動範囲規制構造体３１は、左右の支持棒２，３に対して下方に垂下する相対配置で各々の一端部が固着された左右のアルミニウム製パイプを構成素材として構成されている。この実施形態では、車台１の進行方向前側の底桟部材４の下面のみに左右の車輪１０，１１を設けた、車体長さが短いタイプの採花運搬用台車を例示している。そのため、回動範囲規制構造体３１には、車台１を左右の車輪１０，１１と共に水平状態に支持するための左右の支持脚部３２，３３が、左右のパイプにおける支持棒２，３への固定部に近傍する中間箇所を弧状に湾曲して形成されている。この支持脚部３２，３３は、何れの方向へ回動された場合にも下端部が地面に接して車台１を左右の車輪１０，１１と共に水平に支持する。
【００２６】
回動範囲規制構造体３１は、左右のパイプの各々の先端部を係合状態に連結して構成されたものであり、左右の側枠構造体２２，２３を開く操作または閉じる方向に操作をされたときに左右の支持棒２，３が図４（ｂ）および図５（ｂ）に矢印で示すように互いに異なる方向に回動された際に、図４および図５に図示する２つの回動停止位置の間の回動範囲に規制するよう機能するものである。回動範囲規制構造体３１の構成素材である左右のパイプは、図４（ｂ）および図５（ｂ）に示すように、各々の先端部分が偏平な平板状に圧潰されて弾性変形する弾性部１７が形成されており、この両弾性部１７には同一の構成が形成されている。すなわち、両弾性部１７，１７には、切り込みを入れてこの切り込みに対し直交方向に切り起こして形成された帯状の係合片３４，３４と、係合片３４，３４を形成するための切り込みにより形成された係合孔３５，３５とが設けられている。各係合片３４，３４はそれぞれ、自体とは異なる弾性部１７に向けた直交方向に屈曲されて、別の弾性部１７の係合孔３５，３５に挿通されている。さらに、各係合片３４，３４には、係合孔３５，３５から導出された直後の箇所がさらに直角に屈曲されて抜け止めガイド片３８，３８が形成されている。
【００２７】
回動範囲規制構造体３１は、左右の各々の係合片３４，３４が弾性部１７の弾性変形によって各係合孔３５に沿って変位できるように係合されているから、左右の弾性部１７が伸縮する状態に連結されており、これにより、左右の支持棒２，３の回動を設定された回動範囲内で許容する。すなわち、図４に示すように、左右の側枠構造体２２，２３を内方に傾斜させて閉じる方向に回動操作されたときには、左右のパイプの各々の係合片３４，３４が互いに当接したときに支持棒２，３の回動が停止される。このとき、左右の側枠構造体２２，２３は下端の支持棒２，３を支点として回動するようになっているので、側枠
構造体２２，２３の重心は支持棒２，３よりも上方位置にある。そのため、内方に向け傾斜する方向に回動操作される側枠構造体２２，２３は、図４（ｂ）に１点鎖線で示す支持棒２，３の中心を通る鉛直線を越えて内方に傾斜する位置まで回動した時点で、矢印で示すように、自重により支持棒２，３を支点に内方への回動力が発生する。これにより、左右の側枠構造体２２，２３は、回動を停止する制動力が発生する機構などを設けない簡単な構成の回動範囲規制構造体３１によって閉じた状態に安定に保持される。
【００２８】
一方、図５に示すように、左右の側枠構造体２２，２３を外方に傾斜させて互いに開かせる方向に回動操作されたときには、左右のパイプの各々の係合片３４，３４が係合孔３５，３５の孔端に当接した時点で支持棒２，３の回動が停止される。この場合にも、外方に向け傾斜する方向に回動操作される側枠構造体２２，２３は、図５（ｂ）に１点鎖線で示す、支持棒２，３の中心を通る鉛直線を越えて外方に傾斜する状態に位置した時点で、自重により支持棒２，３を支点に外方への回動力が発生する。これにより、左右の側枠構造体２２，２３は、回動を停止する制動力が発生する機構などを設けない簡単な構成の回動範囲規制構造体３１によって開いた状態に安定に保持される。また、左右の側枠構造体２２，２３は、各々の下端が固定された左右の支持棒２，３をそれぞれ支点として閉じた状態と開いた状態との回動範囲内に回動規制されるのに対し、回動範囲規制構造体３１は左右の支持棒２，３の近傍箇所でた回動範囲を規制する配置で設けられている。そのため、回動範囲規制構造体３１の変位範囲は、左右の側枠構造体２２，２３の回動範囲に比べて極めて小さく、例えば、３ｃｍ程度であるから、図４および図５に示すような左右のパイプに一体形成された簡単な構成としながら、或る程度の撓みを生じながら円滑に動作する。
【００２９】
次に、この実施形態の採花運搬用台車を用いた採花運搬作業について、図６および図７を参照しながら詳述する。採花運搬作業を行うに先立って、採花運搬用台車を花畑の隣接する二つの畝３９，３９の間に持ち込み、花ネット４０を車台１から左右の側枠構造体２２，２３上にかける。そして、採花運搬用台車を進行させる場合には、図６に示すように、左右の操作ハンドル３０，３０を左右の側枠構造体２２，２３が閉じる方向に操作する。これにより、図４で説明したように、左右の側枠構造体２２，２３は、回動範囲規制構造体３１により所定の角度で内方に閉じた状態に安定に保持される。続いて、左右の操作ハンドル３０を把持して、回動範囲規制構造体３１に形成されている支持脚部３２，３３が地面から離れるまで台車を持ち上げた状態を保ちながら採花運搬用台車を進行移動させる。このとき、畝３９に植えられている生花Ｆが背丈の高いものであって畝３９から畝間に向け傾斜している場合であっても、側枠構造体２２，２３は、内方に閉じる方向に傾斜されているから、生花Ｆに接触することなく移動できるので、生花Ｆを傷つけたり、折ったりする不具合が生じることがない。
【００３０】
また、畝３９の生花を切り取る収穫作業を行う際には、図７に示すように、左右の操作ハンドル３０，３０を把持して左右の側枠構造体２２，２３を外方に開かせるように回動操作する。これにより、図５で説明したように、左右の側枠構造体２２，２３は、回動範囲規制構造体３１により所定の角度で外方に閉じた状態に安定に保持される。左右の側枠構造体２２，２３は、外方に向け開く方向に回動されるときに、畝３９から畝間に向け傾斜している背丈の高い生花Ｆを起こすように持ち上げて畝３９上に直立する状態とする。これにより、車台１の上方は、生花Ｆが外方に押し戻され、且つ左右の側枠構造体２２，２３が大きく開かれているので、畝３９から切り取った生花Ｆを車台１上の花ネット４０に積み上げる作業を、障害物となるものが何ら存在しないことによって容易に行うことができる。また、従来のように切り取った生花Ｆを車台１上に積み上げる際に車台の上方に傾斜している生花を傷つけたり、折ったりすることが生じるおそれがない。
【００３１】
また、この採花運搬用台車は、特に、左右の側枠構造体２２，２３を外方に開いた状態
とした場合であっても、図２（ａ）に示すように、左右の車輪１０，１１が下方が外開きに傾斜する配置で取り付けられていることにより、倒れるおそれのない安定した状態を保ことができる。また、支持棒２，３は、左右の側枠構造体２２，２３を所定の回動範囲内で回動させる目的のためだけに回動自在に支持するので、軸受などを用いることなく、底桟部材４の両端を円筒状に湾曲して形成した保持部９によって支障無く保持でき、構成を一層簡素化することができる。
【００３２】
さらに、図４（ａ）に２点鎖線で示すように、回動範囲規制構造体３１の弾性部１７における係合孔３５の任意に位置にねじ止めバンド体３６を着脱自在に取り付けるようにすれば、係合片３４を任意の位置でねじ止めバンド体３６に当接させて、左右の側枠構造体２２，２３の回動範囲を任意に設定することができる。これにより、左右の側枠構造体２２，２３の回動範囲を、畝３９の間隔の相違や植えている生花Ｆの高さの相違等に対応して任意に可変設定することができる。
【００３３】
図８は第１実施形態の変形例を示し、１本のパイプを折り曲げ加工することにより形成された左右の支持枠構造体２６，２７を備えている。この左右の支持枠構造体２６，２７は、進行方向後端部に操作ハンドル２６ｂ，２７ｂが形成された略逆Ｕ字形状の外側枠部２６ａ，２７ａと、この外側枠部２６ａ，２７ａの前端部から水平方向に延びる支持棒部２６ｃ，２７ｃと、外側枠部２６ａ，２７ａの後端部から互いに内方に延びる回動範囲規制構成部２６ｄ，２７ｄとが、１本のアルミニウム製パイプを折り曲げ加工することにより一体形成されている。この左右の支持枠構造体２６，２７は、第１実施形態と同様の底桟部材４，５を支持棒部２６ｃ，２７ｃに架け渡してこの支持棒部２６ｃ，２７ｃを回動自在に保持する構成とすることにより、図１に示す採花運搬用台車と略同等の機能を有する採花運搬用台車を安価に製造することができる。
【００３４】
図９は本発明の第２実施形態に係る採花運搬用台車を示す側面図であり、同図において、図１と実質的に同等のものには同一の符号を付して重複する説明を省略する。この採花運搬用台車は、第１実施形態のものに比較して進行方向に長いタイプのものであり、後側の底桟部材５にも、左右の車輪４１を取り付けるための保持部９が形成されている。この採花運搬用台車に設けられる回動範囲規制構造体４２は、後部にも車輪４１を備えていることから第１実施形態のような支持脚部３２，３３を設ける必要がなく、簡単な構成とすることができる。
【００３５】
すなわち、図１０に示すように、回動範囲規制構造体４２は、回動規制ピン４５を備えて左右の支持棒２，３に固着された作用片４４と、回動規制ピン４５が摺動する弧状の回動規制孔４８が形成されて底桟部材５に固定された規制板４９とを備えて構成されている。図１０（ａ），（ｂ）に示すように、左右の側枠構造体２２，２３の回動に伴って支持棒２，３を介して一体に回動する左右の作用片４４は、回動規制ピン４５が回動規制孔４８の両端の孔端に当接する回動範囲内で回動するように規制される。したがって、この採花運搬用台車においても、回動範囲規制構造体４２を簡単な構成としながらも、第１実施形態のものとほぼ同等の作用効果を得ることができる。
【００３６】
なお、本発明は、以上の実施形態で示した内容に限定されるものでなく、本発明の要旨を逸脱しない範囲内で、種々の追加、変更または削除が可能であり、そのようなものも本発明の範囲内に含まれる。
【産業上の利用可能性】
【００３７】
本発明の採花運搬用台車は、花畑に植えられている生花を切り取って収穫する作業を効率的に行えるものであり、特に、背丈の高い生花の収穫に際して、生花を傷つけたり、折ったりするおそれなく収穫できる顕著な効果が得られるものである。
【符号の説明】
【００３８】
１  台車
２，３  支持棒
４，５  底桟部材
１０，１１  車輪
２２，２３  側枠構造体
３０  操作ハンドル部
３１  回動範囲規制構造体
３２，３３  支持脚部
３４  係合片
３５  係合孔
３６  バンド体
３９  畝
４１  車輪
４２  回動範囲規制構造体
【要約】
【課題】簡単で安価な構成としながらも、一人の作業者のみであっても生花に傷がついたり折れたりするのを確実に防止しながら生花を効率的に収穫することができる採花運搬用台車を提供する。
【解決手段】畝３９に対応する間隔で平行に水平対置された左右の支持棒２，３と、左右の支持棒２，３上に連設された左右の側枠構造体２２，２３と、左右の支持棒２，３の間に架け渡されて左右の支持棒２，３を貫通状態で回動自在に保持する保持部９を両端部に備えた複数の底桟部材４，５と、少なくとも車台１の進行方向前側の底桟部材４の下面部に回転自在に取り付けられた左右の車輪１０，１１と、左右の支持棒を支点に左右の側枠構造体が互いに離間方向と近接方向とに回動されるときの回動範囲を規制する回動範囲規制構造体３１を備えている。
【選択図】図１【図１】
0005131943.tif 000002
【図２】
0005131943.tif 000003
【図３】
0005131943.tif 000004
【図４】
0005131943.tif 000005
【図５】
0005131943.tif 000006
【図６】
0005131943.tif 000007
【図７】
0005131943.tif 000008
【図８】
0005131943.tif 000009
【図９】
0005131943.tif 000010
【図１０】
0005131943.tif 000011